【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
投影装置における動作方法であって、
視覚的イメージの１又は複数のフレームの信号を受け取るステップと、
フレーム周期の第１の部分のサイズを動的に選択するステップと、
第１の実質的に一定レベルの電流を与え、光源の第１の発光デバイスを前記フレーム周期の前記第１の部分において駆動し、前記第１の発光デバイスが第１の色の光を前記フレーム周期の第１の部分の間に発するようにして、前記視覚的イメージのフレームをレンダリングするステップであって、前記第１の発光デバイスは、当該第１の発光デバイスを駆動するのに用いられる駆動電流に少なくとも部分的に依存する動作寿命特性を有し、前記与えられた第１の実質的に一定レベルの電流は、少なくとも、前記第１の発光デバイスの動作寿命特性の駆動電流に対する依存性と、全フレーム周期の大きさに対する前記フレーム周期の第１の部分の大きさとを考慮して選択される、ステップと、
を含むことを特徴とする方法。
【請求項２】
請求項１記載の方法において、前記第１の色は、赤の原色、青の原色及び緑の原色の中の選択された１つであることを特徴とする方法。
【請求項３】
請求項１記載の方法において、前記フレーム周期の第１の部分の大きさは全フレーム周期の約１／ｎであり、前記の与えられた第１の実質的に一定レベルの電流は１／ｎに実質的に反比例し、ｎは整数であることを特徴とする方法。
【請求項４】
請求項１記載の方法において、第２の実質的に一定レベルの電流を与え、光源の第２の発光デバイスを前記フレーム周期の第２の部分において駆動し、前記第２の発光デバイスが第２の色の光を前記フレーム周期の前記第２の部分の間に発するようにして、前記視覚的イメージの同じフレームをレンダリングするステップであって、前記第２の発光デバイスは、当該第２の発光デバイスを駆動するのに用いられる駆動電流に少なくとも部分的に依存する動作寿命特性を有し、前記第２の実質的に一定レベルの電流は、少なくとも、前記第２の発光デバイスの動作寿命特性の駆動電流に対する依存性と、全フレーム周期の大きさに対する前記フレーム周期の第２の部分の大きさとを考慮して選択される、ステップと、を更に含むことを特徴とする方法。
【請求項５】
請求項４記載の方法において、前記第１の色は、赤の原色、青の原色、及び緑の原色の中の選択された１つであり、前記第２の色は、選択されなかった原色の中の選択された１つであることを特徴とする方法。
【請求項６】
請求項４記載の方法において、前記第１及び第２の実質的に一定レベルの電流を与え、前記光源の前記第１及び第２の発光デバイスをそれぞれ前記フレーム周期の第３の部分において駆動し、前記第１及び第２の発光デバイスが前記第１及び第２の色の光をそれぞれ前記フレーム周期の第３の部分において発するようにして、前記のイメージ・フレームをレンダリングするステップを更に含むことを特徴とする方法。
【請求項７】
請求項６記載の方法において、組み合わされた前記第１及び第３の部分の大きさは前記フレーム周期の約１／ｎであり、前記の与えられた第１の実質的に一定レベルの電流は１／ｎに実質的に反比例し、ｎは整数であることを特徴とする方法。
【請求項８】
請求項６記載の方法において、組み合わされた前記第２及び第３の部分の大きさは前記フレーム周期の約１／ｎであり、前記の与えられた第２の実質的に一定レベルの電流は１／ｎに実質的に反比例し、ｎは整数であることを特徴とする方法。
【請求項９】
請求項６記載の方法において、前記第１及び第２の実質的に一定レベルの電流を与え、前記光源の前記第１及び第２の発光デバイスをそれぞれ前記フレームの第３の部分において駆動する前記のステップは、レンダリングされている前記視覚的イメージのフレームのコンテンツに少なくとも部分的に基づいて条件付きで実行されることを特徴とする方法。
【請求項１０】
請求項９記載の方法において、前記第２及び第３の部分の大きさを動的に選択するステップを更に含むことを特徴とする方法。
【請求項１１】
投影装置における動作方法であって、
視覚的イメージの１又は複数のフレームの信号を受け取るステップと、
第１の可変レベルの電流を与え、光源の第１の発光デバイスを前記フレーム周期の第１の部分において駆動し、前記第１の発光デバイスが第１の色の光を前記フレーム周期の前記第１の部分の間に発するようにして、前記視覚的イメージのフレームをレンダリングするステップであって、前記第１の発光デバイスは、当該第１の発光デバイスを駆動するのに用いられる駆動電流に少なくとも部分的に依存する動作寿命特性を有し、前記与えられた第１の可変電流の時間平均は、少なくとも、前記第１の発光デバイスの動作寿命特性の駆動電流に対する依存性と、全フレーム周期の大きさに対する前記フレーム周期の第１の部分の大きさとを考慮して選択される、ステップと、
を含んでおり、前記フレーム周期の前記第１の部分において与えられた前記第１の可変レベルの電流は非線形的に変動するか、又は、１又は複数のステップを有するステップ関数と複数ののこぎり歯を有するのこぎり歯関数とから構成される関数群から選択される形式因数を有することを特徴とすることを特徴とする方法。
【請求項１２】
請求項１１記載の方法において、光弁を前記フレーム周期の前記第１の部分において１又は複数の回数だけ選択的にオン及びオフするステップを更に含むことを特徴とする方法。
【請求項１３】
請求項１２記載の方法において、光弁を選択的にオン及びオフする前記ステップは、マイクロミラー・デバイスの１又は複数のマイクロミラーを前記フレーム周期の第１の部分において１又は複数の回数だけ選択的にオン及びオフするステップを含むことを特徴とする方法。
【請求項１４】
投影光学機器と、
前記投影光学機器に光学的に結合され、光を前記投影光学機器に放出する光源と、
前記光源に電気的に結合され、前記光源による光の放出を制御する制御器と、
を備えており、フレーム周期の第１の部分の大きさを動的に選択することを含み、
第１の実質的に一定レベルの電流を与え、前記光源の第１の発光デバイスを前記フレーム周期の前記第１の部分において駆動し、前記第１の発光デバイスが第１の色の光を前記フレーム周期の前記第１の部分において放出するようにして、前記視覚的イメージのフレームをレンダリングすることを含み、
前記第１の発光デバイスは、当該第１の発光デバイスを駆動するため与えられる駆動電流に依存する動作寿命特性を有し、
前記与えられた第１の実質的に一定レベルの電流は、少なくとも、前記動作寿命特性の駆動電流に対する依存性と、全フレーム周期の大きさに対する前記フレーム周期の第１の部分の大きさとを考慮して選択されることを特徴とする投影装置。
【請求項１５】
請求項１４記載の投影装置において、前記制御器は、更に、前記光源に結合されており、第２の実質的に一定レベルの電流を与え、前記光源の第２の発光デバイスを前記フレーム周期の前記第２の部分において駆動し、前記第２の発光デバイスが第２の色の光を前記フレーム周期の前記第２の部分において放出するようにして、前記視覚的イメージのフレームをレンダリングすることを含み、
前記第２の発光デバイスは、当該第２の発光デバイスを駆動するため与えられる駆動電流に依存する動作寿命特性を有し、
前記与えられた第２の実質的に一定レベルの電流は、少なくとも、前記動作寿命特性の駆動電流に対する依存性と、全フレーム周期の大きさに対する前記フレーム周期の第２の部分の大きさとを考慮して選択されることを特徴とする投影装置。
【請求項１６】
請求項１５記載の投影装置において、前記制御器は、更に、前記光源に結合され、前記第１及び第２の実質的に一定レベルの電流を与え、前記光源の前記第１及び第２の発光デバイスをそれぞれ前記フレーム周期の第３の部分において駆動し、前記第１及び第２の発光デバイスが前記第１及び第２の色をそれぞれ前記フレーム周期の前記第３の部分において放出するようにして、前記のイメージ・フレームをレンダリングすることを特徴とする投影装置。
【請求項１７】
請求項１６記載の投影装置において、前記制御器は、更に、前記第１及び第２の実質的に一定レベルの電流を与え、前記光源の前記第１及び第２の発光デバイスをそれぞれ前記フレーム周期の第３の部分において、レンダリングされている前記のイメージ・フレームのコンテンツに少なくとも部分的に基づいて条件付きで駆動するように設けられていることを特徴とする投影装置。
【請求項１８】
請求項１７記載の投影装置において、前記制御器は、更に、前記第２及び第３の部分の大きさを動的に選択するように設けられていることを特徴とする投影装置。
【請求項１９】
投影光学機器と、
前記投影光学機器に光学的に結合され、光を前記投影光学機器に放出する光源と、
前記光源に電気的に結合され、前記光源による光の放出を制御する制御器と、
を備えており、第１の可変レベルの電流を与え、前記光源の第１の発光デバイスを前記フレーム周期の第１の部分において駆動し、前記第１の発光デバイスが第１の色の光を前記フレーム周期の前記第１の部分において放出するようにして、イメージ・フレームをレンダリングすることを含み、
前記第１の発光デバイスは、当該第１の発光デバイスを駆動するため与えられる駆動電流に依存する動作寿命特性を有し、
前記第１の可変レベルの電流の時間平均は、少なくとも、前記動作寿命特性の駆動電流に対する依存性と、全フレーム周期の大きさに対する前記フレーム周期の第１の部分の大きさとを考慮して選択され、
前記フレーム周期の前記第１の部分において与えられた前記第１の可変レベルの電流は非線形的に変動するか、又は、１又は複数のステップを有するステップ関数と複数ののこぎり歯を有するのこぎり歯関数とから構成される関数群から選択される形式因数を有することを特徴とすることを特徴とする投影装置。
【請求項２０】
請求項１９記載の投影装置において、前記投影光学機器は光弁を備えており、前記制御器は、更に、前記光弁に電気的に結合され、前記光弁を前記フレーム周期の第１の部分において１又は複数の回数だけ選択的にオン及びオフするよう設けられていることを特徴とする投影装置。
【請求項２１】
請求項２０記載の投影装置において、前記光弁はマイクロミラー・デバイスを含み、前記制御器は前記マイクロミラー・デバイスの１又は複数のマイクロミラーを前記フレーム周期の前記第１の部分において１又は複数の回数だけ選択的にオン及びオフするよう設けられていることを特徴とする投影装置。
【請求項２２】
投影装置における動作方法であって、
視覚的イメージの１又は複数のフレームの信号を受け取るステップと、
第１のレベルの電流を与え、光源の第１の発光デバイスをフレーム周期の前記第１の部分において駆動し、前記第１の発光デバイスが第１の色の光を前記フレーム周期の第１の部分の間に発するようにして、前記視覚的イメージのフレームをレンダリングするステップであって、前記フレーム周期の前記第１の部分の大きさは、少なくとも前記視覚的イメージの１又は複数のフレームのコンテンツを考慮して選択されることを特徴とする、ステップと、
を含むことを特徴とする方法。
【請求項２３】
請求項２２記載の方法において、前記第１の発光デバイスは、当該第１の発光デバイスを駆動するのに用いられる駆動電流に少なくとも部分的に依存する動作寿命特性を有し、前記与えられた第１のレベルの電流は、少なくとも、前記第１の発光デバイスの動作寿命特性の駆動電流に対する依存性と、全フレーム周期の大きさに対する前記フレーム周期の前記第１の部分の大きさとを考慮して選択されることを特徴とする方法。
【請求項２４】
請求項２２記載の方法において、ピーク白色照射は少なくとも前記視覚的イメージの１又は複数のフレームのコンテンツを考慮されることが望ましいことを判断するステップを更に含むことを特徴とする方法。
【請求項２５】
請求項２２記載の方法において、前記第１の部分の大きさを動的に選択するステップを更に含むことを特徴とする方法。
【請求項２６】
請求項２２記載の方法において、前記第１のレベルの電流は実質的に一定であることを特徴とする方法。
【請求項２７】
請求項２２記載の方法において、前記第１のレベルの電流は可変であることを特徴とする方法。